(57)【要約】【課題】特殊モードの動作が意図せず実行されるのを防止可能な洗濯機を提供すること。【解決手段】洗濯機が、洗濯機本体と、操作により洗濯機本体の電源をオンする機械式の電源スイッチと、操作により各々対応する通常モードの動作を実行する複数のタッチキーと、電源スイッチが操作されたときから、電源スイッチが第１の時間操作され続けているか否かを判定する電源操作継続判定部と、電源スイッチが第１の時間操作され続けていると判定された以降に、電源スイッチが操作され続けている状態で複数のタッチキーの少なくとも１つを操作する第１特殊操作が行われた場合、または、電源スイッチが上記第１の時間操作され続けていると判定されたときから、電源スイッチをさらに第２の時間操作し続ける第２特殊操作が行われた場合に、通常モードの動作とは異なる特殊モードの動作を実行する特殊モード制御部とを備える。【選択図】図５
2019004986.tif 000002
【特許請求の範囲】
【請求項１】
洗濯機本体と、
上記洗濯機本体に設けられ、操作により上記洗濯機本体の電源をオンする機械式の電源スイッチと、
上記洗濯機本体に設けられ、操作により各々対応する通常モードの動作を実行する複数のタッチキーと、
上記電源スイッチが操作されたときから、上記電源スイッチが第１の時間操作され続けているか否かを判定する電源操作継続判定部と、
上記電源操作継続判定部により上記電源スイッチが上記第１の時間操作され続けていると判定された以降に、上記電源スイッチが操作され続けている状態で上記複数のタッチキーの少なくとも１つを操作する第１特殊操作が行われた場合、または、上記電源操作継続判定部により上記電源スイッチが上記第１の時間操作され続けていると判定されたときから、上記電源スイッチをさらに第２の時間操作し続ける第２特殊操作が行われた場合に、上記通常モードの動作とは異なる特殊モードの動作を実行する特殊モード制御部と
を備える、洗濯機。
【請求項２】
請求項１の洗濯機において、
上記電源スイッチが、上記洗濯機本体の電源をオフからオンに切り換える機能と、上記洗濯機本体の電源をオンからオフに切り換える機能とを有している、洗濯機。
【請求項３】
請求項１または２の洗濯機において、
上記第１特殊操作が、
上記電源操作継続判定部により上記電源スイッチが上記第１の時間操作され続けていると判定された以降に、上記電源スイッチが操作され続けている状態で上記複数のタッチキーの複数を操作する特殊操作と、
上記電源スイッチが操作され続けている状態で上記複数のタッチキーの少なくとも１つを操作しかつ所定時間操作し続ける特殊操作と
を含む、洗濯機。
【請求項４】
請求項１から３のいずれか１の洗濯機において、
上記第１特殊操作により実行される特殊モードの動作が、ユーザによる使用を目的としていない非ユーザ用特殊モードの動作であり、
上記第２特殊操作により実行される特殊モードの動作が、ユーザによる使用を目的としたユーザ用特殊モードの動作である、洗濯機。
【発明の詳細な説明】
【技術分野】
【０００１】
本発明は、機械式の電源スイッチと複数のタッチキーとを備えた洗濯機に関する。
【背景技術】
【０００２】
特許文献１に記載された洗濯機は、洗濯槽を収容する筺体に操作パネルを備えた洗濯機が開示されている。この洗濯機の操作パネルには、複数の機械式スイッチと、複数のタッチ式キーとが設けられ、電源スイッチと他の特定の機械式スイッチとを同時に押した場合に限り、タッチ式キーの同時押しを許可する特殊モードに移行するようになっている。これにより、通常モードにおいて、特殊モードの動作が意図せず実行されるのを防止している。
【先行技術文献】
【特許文献】
【０００３】
【特許文献１】特開２０１５−２３１４４９号公報
【発明の概要】
【発明が解決しようとする課題】
【０００４】
しかし、上記洗濯機では、電源スイッチと他の特定の機械式スイッチとを同時に押されて電源がオンされると、電源がオフされるまで、複数のタッチキーを同時押しするだけでいつでも特殊モードの動作に移行してしまう。このため、上記洗濯機では、通常モードにおいて、特殊モードの動作が意図せず実行されるのを防止することが難しい場合がある。
【０００５】
そこで、本発明の課題は、特殊モードの動作が意図せず実行されるのを防止可能な洗濯機を提供することにある。
【課題を解決するための手段】
【０００６】
本発明の一態様の洗濯機は、
洗濯機本体と、
上記洗濯機本体に設けられ、操作により上記洗濯機本体の電源をオンする機械式の電源スイッチと、
上記洗濯機本体に設けられ、操作により各々対応する通常モードの動作を実行する複数のタッチキーと、
上記電源スイッチが操作されたときから、上記電源スイッチが第１の時間操作され続けているか否かを判定する電源操作継続判定部と、
上記電源操作継続判定部により上記電源スイッチが上記第１の時間操作され続けていると判定された以降に、上記電源スイッチが操作され続けている状態で上記複数のタッチキーの少なくとも１つを操作する第１特殊操作が行われた場合、または、上記電源操作継続判定部により上記電源スイッチが上記第１の時間操作され続けていると判定されたときから、上記電源スイッチをさらに第２の時間操作し続ける第２特殊操作が行われた場合に、上記通常モードの動作とは異なる特殊モードの動作を実行する特殊モード制御部と
を備える。
【発明の効果】
【０００７】
上記態様の洗濯機によれば、電源スイッチが第１の時間操作され続けていると判定された以降に、電源スイッチが操作され続けている状態で複数のタッチキーの少なくとも１つを操作する第１特殊操作が行われた場合、または、電源スイッチが第１の時間操作され続けていると判定されたときから、電源スイッチをさらに第２の時間操作し続ける第２特殊操作が行われた場合に、通常モードの動作とは異なる特殊モードの動作が実行される。すなわち、電源スイッチを所定の時間操作し続け、かつ、電源スイッチを操作し続けている状態で所定の操作を行うことで、特殊モードの動作が実行されるので、特殊モードの動作が意図せず実行されるのを防止できる。
【図面の簡単な説明】
【０００８】
【図１】本発明の第１実施形態の洗濯機の斜視図。
【図２】図１の洗濯機の構成を説明するための模式図。
【図３】図１の洗濯機の操作パネルの平面図。
【図４】図１の洗濯機の制御ブロック図。
【図５】図１の洗濯機の特殊モードの動作の実行処理を説明するためのフローチャート。
【発明を実施するための形態】
【０００９】
以下、本発明を図示の実施形態により詳細に説明する。なお、以下の説明では、図面に表された構成を説明するうえで、「上」、「右」、「側」、「端」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１０】
（第１実施形態）
本発明の第１実施形態の洗濯機１は、図１に示すように、洗濯機本体２を備える縦型洗濯機である。この洗濯機本体２は、図２に示すように、外箱１０と、外槽２０と、外槽２０の内部に回転可能に配置された内槽３０と、内槽３０を回転させる駆動装置４０と、外槽２０の内部に水を供給可能な給水装置５０と、外槽２０の内部の水を排水可能な排水装置６０とを有している。外槽２０、内槽３０、駆動装置４０、給水装置５０、および、排水装置６０は、外箱１０の内部に配置されている。また、外槽２０および内槽３０は、上面が開口した有底筒状をそれぞれ有しており、上面視における中心が一致するように配置されている。
【００１１】
なお、図１のＺ方向を洗濯機１の上下方向とする。また、図１のＸ方向を洗濯機１の左右方向とし、図１のＹ方向を洗濯機１の前後方向とする。
【００１２】
外箱１０は、金属または合成樹脂で構成され、図１に示すように、直方体形状を有している。外箱１０の上面および底面は開口しており、図２に示すように、上面の開口には、合成樹脂製の上面板１１が設けられ、底面の開口には、合成樹脂製のベース１２が設けられている。ベース１２には、外箱１０の外部に露出する接続管６６が設けられている。接続管６６には、排水ホース（図示せず）が接続可能になっている。
【００１３】
上面板１１は、上下方向に沿って見た平面視において、略四角形状を有している。この上面板１１には、図１および図２に示すように、機械式の押しボタンスイッチである電源スイッチ４と、複数のタッチキー６を有する操作パネル５と、洗濯機１内に洗濯物を投入するための洗濯物投入口１４（図２にのみ示す）と、洗濯物投入口１４を開閉する上蓋１５とが設けられている。電源スイッチ４は、上面板１１の前後方向に相対する一対の端部のうちの後側の端部に配置され、操作パネル５は、上面板１１の前側の端部に配置されている。
【００１４】
電源スイッチ４は、操作により洗濯機本体２の電源をオフからオンに切り換え、また、操作により洗濯機本体２の電源をオンからオフに切り換える。すなわち、電源スイッチ４は、洗濯機本体２の電源をオフからオンに切り換える機能と、洗濯機本体２の電源をオンからオフに切り換える機能とを有している。
【００１５】
操作パネル５は、図３に示すように、複数のタッチキー６が配置された操作部１１１と、運転モード等を表示する表示部１１２とで構成されている。各タッチキー６は、操作により対応する通常モードの動作を実行する。通常モードの動作には、例えば、「洗濯」、「洗〜乾」、「乾燥」などの運転モードの選択および入力が含まれている。なお、各タッチキー６は、洗濯機本体２の電源のオンオフにより、操作パネル５に対する表示/非表示の切り替えが可能であり、操作パネル５に表示されている場合にのみ、接触操作が有効化されるようになっている。
【００１６】
図２に示すように、上面板１１内には、給水装置５０が配置されている。給水装置５０は、電磁的に開閉する給水弁５１と、給水弁５１の上流に配置されて上面板１１を貫通して上方に突き出す接続管５２と、給水弁５１の下流かつ内槽３０を臨む位置に配置された洗剤ケース５３とで構成されている。接続管５２には、水道水などの上水を供給する給水ホース（図示せず）が接続可能になっている。また、洗剤ケース５３には、その先端が内槽３０の内部に向かって開口する給水経路部５４が設けられている。
【００１７】
外槽２０は、外箱１０に対してサスペンション部材（図示せず）によって吊り下げられている。このサスペンション部材は、外槽２０の下方と外箱１０の上方とを連結する形で計４箇所に配備され、外槽２０を揺動可能に支持している。
【００１８】
内槽３０は、洗剤を溶かした水またはすすぎ用の水などの洗濯水が溜められるようになっており、その底部に、後述する駆動装置４０の脱水軸４４が接続されている。内槽３０の開口部には、環状のバランサ３２が設けられている。また、内槽３０の底部の中央には、正逆方向に回転可能に配置された攪拌翼３が設けられている。この攪拌翼３には、後述する駆動装置４０の攪拌翼軸４５が接続されている。
【００１９】
攪拌翼３は、操作パネル５を介してユーザにより指示された運転コース等に応じて回転する。例えば、洗濯またはすすぎ運転を行う場合、攪拌翼３は、５０〜１５０ｒｐｍの回転速度で、正回転方向および逆回転方向に交互に繰り返し回転する。また、脱水運転を行う場合、攪拌翼３は、内槽３０と一緒に０〜１０００ｒｐｍの回転速度で逆回転方向に回転する。
【００２０】
駆動装置４０は、駆動モータ４１と、駆動モータ４１とベルト機構（図示せず）を介して接続されたクラッチ・ブレーキ機構４２と、クラッチ・ブレーキ機構４２の中央部に同軸に配された脱水軸４４および攪拌翼軸４５とで構成されている。
【００２１】
モータ４１は、脱水軸４４および攪拌翼軸４５を介して、攪拌翼３および内槽３０を回転させる。脱水軸４４および攪拌翼軸４５は、その軸心に対して、脱水軸４４が径方向の外側に配置され、攪拌翼軸４５が径方向の内側に配置された二重軸構造となっている。脱水軸４４は、下方から上方に向かって外槽２０底面を貫き、内槽３０を支持している。攪拌翼軸４５は、下方から上方に向かって外槽２０を貫通し、さらに内槽３０の底部を貫き、攪拌翼３を支持している。
【００２２】
また、洗濯機１は、図２に示すように、内槽３０の内部の水を洗濯機１の外部に排水するための排水装置６０を有している。排水装置６０は、内槽３０の底部に設けられた内排水孔６１と、外槽２０と内槽３０との間に配置されたシールホルダ６２と、外槽２０の底部に設けられた外排水孔６３と、外排水孔６３と接続管６６とに接続された排水経路部６４と、排水経路部６４を開閉可能な排水弁６５とで構成されている。シールホルダ６２は、内排水孔６１と外排水孔６３とに接続され、その内側にオイルシール（図示せず）が圧入されている。これにより、内槽３０がシールされて、外槽２０と内槽３０との間に独立した排水空間が形成されている。
【００２３】
なお、上記洗濯機１で洗濯またはすすぎ運転を行う場合は、排水弁６５が閉じられ、内槽３０内にのみ水が貯められる。また、脱水運転を行う場合は、排水弁６５が開かれ、内槽３０内の水は、内排水孔６１、シールホルダ６２、外排水孔６３、排水経路部６４、および、接続管６６を介して、洗濯機１の外部に排水される。各運転時に、脱水軸４４、攪拌翼軸４５、および、内槽３０がモータ４１の駆動により回転するが、シールホルダ６２の内側に圧入されたオイルシールにより、内槽３０は、シールホルダ６２に対して相対的に回転可能な状態で、かつ、水密構造を取り続けることができる。
【００２４】
また、洗濯機１は、図４に示すように、演算等を行うＣＰＵおよび入出力回路等で構成された制御装置１００を備えている。この制御装置１００は、操作パネル５の操作部１１１、および、水位センサ１２１から入力された信号に基づいて、操作パネル５の表示部１１２、送風ファン１０１の送風ファン用モータ１０２、ヒータ１０３、駆動モータ４１、クラッチ・ブレーキ機構４２、給水弁５１、および、排水弁６５を制御する。
【００２５】
また、制御装置１００は、電源操作継続判定部１３１と、特殊モード制御部１３２と、計測部１３３とを有している。
【００２６】
なお、以下に説明する制御装置１００を構成する各部は、ＣＰＵが所定のプログラムを実行することにより実現される機能である。
【００２７】
電源操作継続判定部１３１は、電源スイッチ４が操作されたか否かを判定する。詳しくは、電源操作継続判定部１３１は、電源スイッチ４が押されて、洗濯機本体２の電源がオンからオフに切り替わったか否かを判定する。
【００２８】
また、電源操作継続判定部１３１は、電源スイッチ４が操作されたと判定されたときから、電源スイッチ４が、第１の時間（例えば、１秒）操作され続けているか否かを判定する。詳しくは、電源操作継続判定部１３１は、電源スイッチ４が長押しされている状態で、電源スイッチ４が押されたときから第１の時間が経過したか否かを判定する。
【００２９】
なお、電源スイッチ４が長押しされている状態で、電源スイッチ４が押されたときから第１の時間が経過した場合に、電源スイッチ４が押されたときから第１の時間が経過したことが、操作パネル５などを介して報知されるようにしてもよい。
【００３０】
特殊モード制御部１３２は、電源操作継続判定部１３１により電源スイッチ４が、第１の時間操作され続けていると判定された以降に、電源スイッチ４が操作され続けている状態で複数のタッチキー６の少なくとも１つを操作する第１特殊操作が行われた場合、または、電源操作継続判定部１３１により電源スイッチ４が、第１の時間操作され続けていると判定されたときから、電源スイッチ４をさらに第２の時間（例えば、２秒）操作し続ける第２特殊操作が行われた場合に、通常モードの動作とは異なる特殊モードの動作を実行する。
【００３１】
詳しくは、特殊モード制御部１３２は、電源スイッチ４が長押しされている状態で、電源スイッチ４が押されたときから第１の時間が経過した以降に、電源スイッチ４が長押しされ続けている状態で、所定のタッチキー６が操作されると、通常モードの動作とは異なる特殊モードの動作を実行する。この場合、特殊モードの動作として、ユーザの使用を目的としていない非ユーザ用特殊モードの動作が実行される。非ユーザ用特殊モードの動作には、例えば、検査モード、生産モード、デモンストレーションモード、および、サービスモードが含まれる。
【００３２】
また、特殊モード制御部１３２は、電源スイッチ４が長押しされている状態で、電源スイッチ４が押されて第１の時間が経過したと判定されたときから、さらに第２の時間が経過し、かつ、電源スイッチ４の長押しが解除されると、通常モードの動作とは異なる特殊モードの動作を実行する。この場合、特殊モードの動作として、ユーザの使用を目的としたユーザ用特殊モードの動作が実行される。ユーザ用特殊モードの動作には、例えば、脱水運転時の内槽３０の回転速度を変更したり、運転が終了した時のお知らせ音を鳴らないように変更したりすることができるカスタマイズモードが含まれる。
【００３３】
さらに、特殊モード制御部１３２は、電源スイッチ４が操作されたと判定されたときから、第１の時間および第２の時間の合計よりも長い最大操作時間（例えば、５秒）が経過した場合に、洗濯機本体２の電源をオフする。
【００３４】
なお、電源スイッチ４が長押しされている状態で、電源スイッチ４が押されて第１の時間が経過したと判定されたときから、さらに第２の時間が経過した場合に、電源スイッチ４が押されて第１時間が経過したと判定されたときから第２の時間が経過したことが、操作パネル５などを介して報知されるようにしてもよい。
【００３５】
計測部１３３は、電源スイッチ４が操作されたと判定されたときから、電源スイッチ４が操作され続けている時間（すなわち、電源スイッチ４が押されたときから長押しされている状態で経過した時間）を計測する。また、計測部１３３は、電源操作継続判定部１３１により電源スイッチ４が第１の時間操作され続けていると判定されたときから、電源スイッチ４が操作され続けている時間（すなわち、電源スイッチ４が押されたときから長押しされている状態で経過した時間が第１の時間に到達したときから、さらに経過した時間）を計測する。
【００３６】
次に、図５を参照して、洗濯機１の特殊モードの動作の実行処理について説明する。なお、以下に説明する処理は、制御装置１００が所定のプログラムを実行することで実施される。
【００３７】
電源スイッチ４が押されて、洗濯機本体２の電源がオフからオンに切り替えられると（ステップＳ１）、電源操作継続判定部１３１は、電源スイッチ４が押されたときから、電源スイッチ４が、第１の時間長押しされ続けているか否か（すなわち、電源スイッチ４が長押しされている状態で、電源スイッチ４が押されたときから第１の時間が経過したか否か）を判定する（ステップＳ２）。
【００３８】
電源スイッチ４が、電源スイッチ４が長押しされている状態で、電源スイッチ４が押されたときから第１の時間が経過したと判定された場合、特殊モード制御部１３２は、第１の時間が経過したと判定された以降に、電源スイッチ４が長押しされ続けている状態で、所定のタッチキー６が操作されたか否か（すなわち、第１特殊操作が行われたか否か）を判定する（ステップＳ３）。
【００３９】
一方、電源スイッチ４が長押しされている状態で、電源スイッチ４が押されたときから第１の時間が経過していないと判定された場合、電源スイッチ４が押されたときから第１の時間が経過するまで、ステップＳ２を繰り返す。
【００４０】
ステップＳ３で、第１特殊操作が行われていないと判定された場合、特殊モード制御部１３２は、電源スイッチ４が長押しされている状態で、電源スイッチ４が押されたときから第１の時間が経過したと判定されたときから、さらに第２の時間が経過したか否か（すなわち、第２特殊操作が行われたか否か）を判定する（ステップＳ４）。
【００４１】
第２特殊操作が行われたと判定された場合、特殊モード制御部１３２は、電源スイッチ４の長押しが解除されたか否かを判定する（ステップＳ５）。
【００４２】
一方、第２特殊操作が行われていないと判定された場合、ステップＳ３に戻って、再び、第１特殊操作が行われたか否かが判定される。
【００４３】
ステップＳ３で、第１特殊操作行われたと判定された場合、あるいは、ステップＳ５で、第２特殊操作が行われ、かつ、電源スイッチ４の長押しが解除されたと判定された場合、特殊モード制御部１３２は、各特殊操作に対応する特殊モードの動作を実行して（ステップＳ６）、特殊モードの動作の実行処理を終了する。
【００４４】
ステップＳ５で、電源スイッチ４の長押しが解除されていないと判定された場合、特殊モード制御部１３２は、電源スイッチ４が操作されたと判定されたときから、最大操作時間が経過したか否かを判定する（ステップＳ７）。
【００４５】
電源スイッチ４が操作されたと判定されたときから、最大操作時間が経過したと判定された場合、特殊モード制御部１３２は、洗濯機本体２の電源をオンからオフに切り換えて（ステップＳ８）、特殊モードの動作の実行処理を終了する。
【００４６】
一方、電源スイッチ４が操作されたと判定されたときから、最大操作時間が経過していない判定された場合、ステップＳ５に戻り、再び、電源スイッチ４の長押しが解除されたか否かが判定される。
【００４７】
第１実施形態の洗濯機１では、電源スイッチ４が第１の時間操作され続けていると判定された以降に、電源スイッチ４が操作され続けている状態で複数のタッチキー６の少なくとも１つを操作する第１特殊操作が行われた場合、または、電源スイッチ４が第１の時間操作され続けていると判定されたときから、電源スイッチ４をさらに第２の時間操作し続ける第２特殊操作が行われた場合に、通常モードの動作とは異なる特殊モードの動作が実行される。すなわち、電源スイッチ４を所定の時間操作し続け、かつ、電源スイッチ４を操作し続けている状態で所定の操作を行うことで、特殊モードの動作が実行されるので、特殊モードの動作が意図せず実行されるのを防止できる。
【００４８】
また、電源スイッチ４が、洗濯機本体２の電源をオフからオンに切り換える機能と、洗濯機本体２の電源をオンからオフに切り換える機能とを有している。これにより、電源スイッチ４を操作して洗濯機本体２の電源をオフからオンに切り換える場合にのみ、第１特殊操作および第２特殊操作を行うことができる。これにより、特殊モードの動作が意図せず実行されるのをより確実に防止できる。
【００４９】
また、第１特殊操作により実行される特殊モードの動作が、ユーザによる使用を目的としていない非ユーザ用特殊モードの動作であり、第２特殊操作により実行される特殊モードの動作が、ユーザによる使用を目的としたユーザ用特殊モードの動作である。これにより、第１特殊操作よりも比較的操作が簡単な第２特殊操作を行うことで、ユーザによる使用を目的としているユーザ用特殊モードの動作が実行されるので、利便性の高い洗濯機が得られる。
【００５０】
なお、電源スイッチ４は、洗濯機本体２の電源をオフからオンに切り換える機能と、洗濯機本体２の電源をオンからオフに切り換える機能と有している場合に限らず、洗濯機本体２の電源をオフからオンに切り換える第１電源スイッチと、洗濯機本体２の電源をオンからオフに切り換える第２電源スイッチとで構成してもよい。
【００５１】
（第２実施形態）
第１特殊操作は、電源操作継続判定部１３１により電源スイッチ４が第１の時間操作され続けていると判定された以降に、電源スイッチ４が操作され続けている状態で複数のタッチキー６を操作する特殊操作を含んでいてもよい。これにより、例えば、第１実施形態の洗濯機１が有するユーザ用特殊モードおよび非ユーザ用特殊モードを複数有することができるので、設計の自由度の高い洗濯機が得られる。
【００５２】
（第３実施形態）
第１特殊操作は、電源操作継続判定部１３１により電源スイッチ４が第１の時間操作され続けていると判定された以降に、電源スイッチ４が操作され続けている状態で複数のタッチキー６の少なくとも１つを操作しかつ所定時間操作し続ける特殊操作を含んでいてもよい。これにより、例えば、第１実施形態の洗濯機１が有するユーザ用特殊モードおよび非ユーザ用特殊モード以外の他の特殊モードを有することができるので、設計の自由度の高い洗濯機が得られる。
【００５３】
（第４実施形態）
本発明は、第１〜第３実施形態の縦型の洗濯機１に限らず、例えば、任意の構成を有するドラム式の洗濯機に適用できる。
【００５４】
以上、図面を参照して本発明における種々の実施形態を詳細に説明したが、最後に、本発明の種々の実施形態について説明する。
【００５５】
本発明の一実施形態の洗濯機１は、
洗濯機本体２と、
上記洗濯機本体２に設けられ、操作により上記洗濯機本体２の電源をオンする機械式の電源スイッチ４と、
上記洗濯機本体２に設けられ、操作により各々対応する通常モードの動作を実行する複数のタッチキー６と、
上記電源スイッチ４が操作されたときから、上記電源スイッチ４が第１の時間操作され続けているか否かを判定する電源操作継続判定部１３１と、
上記電源操作継続判定部１３１により上記電源スイッチ４が上記第１の時間操作され続けていると判定された以降に、上記電源スイッチ４が操作され続けている状態で上記複数のタッチキー６の少なくとも１つを操作する第１特殊操作が行われた場合、または、上記電源操作継続判定部１３１により上記電源スイッチ４が上記第１の時間操作され続けていると判定されたときから、上記電源スイッチ４をさらに第２の時間操作し続ける第２特殊操作が行われた場合に、上記通常モードの動作とは異なる特殊モードの動作を実行する特殊モード制御部１３２と
を備える。
【００５６】
上記実施形態の洗濯機１によれば、電源スイッチ４を所定の時間操作し続け、かつ、電源スイッチ４を操作し続けている状態で所定の操作を行うことで、特殊モードの動作が実行されるので、特殊モードの動作が意図せず実行されるのを防止できる。
【００５７】
また、本発明の一実施形態の洗濯機１は、
上記電源スイッチ４が、上記洗濯機本体２の電源をオフからオンに切り換える機能と、上記洗濯機本体２の電源をオンからオフに切り換える機能とを有している。
【００５８】
上記実施形態の洗濯機１によれば、電源スイッチ４を操作して洗濯機本体２の電源をオフからオンに切り換える場合にのみ、第１特殊操作および第２特殊操作を行うことができる。これにより、特殊モードの動作が意図せず実行されるのをより確実に防止できる
【００５９】
また、本発明の一実施形態の洗濯機１は、
上記第１特殊操作が、上記電源操作継続判定部１３１により上記電源スイッチ４が第１の時間操作され続けていると判定された以降に、上記電源スイッチ４が操作され続けている状態で上記複数のタッチキー６の複数を操作する特殊操作と、上記電源スイッチ４が操作され続けている状態で上記複数のタッチキー６の少なくとも１つを操作しかつ所定時間操作し続ける特殊操作とを含む。
【００６０】
上記実施形態の洗濯機１によれば、例えば、第１実施形態の洗濯機１が有するユーザ用特殊モードおよび非ユーザ用特殊モードを複数有することができるので、設計の自由度の高い洗濯機が得られる。
【００６１】
また、本発明の一実施形態の洗濯機１は、
上記第１特殊操作により実行される特殊モードの動作が、ユーザによる使用を目的としていない非ユーザ用特殊モードの動作であり、
上記第２特殊操作により実行される特殊モードの動作が、ユーザによる使用を目的としたユーザ用特殊モードの動作である。
【００６２】
上記実施形態の洗濯機１によれば、第１特殊操作よりも比較的操作が簡単な第２特殊操作を行うことで、ユーザによる使用を目的としているユーザ用特殊モードの動作が実行されるので、利便性の高い洗濯機が得られる。
【００６３】
なお、上記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００６４】
１  洗濯機
２  洗濯機本体
３  攪拌翼
４  電源スイッチ
５  操作パネル
６  タッチキー
１１１  操作部
１１２  表示部
１０  外箱
１１  上面板
１２  ベース
１３  脚部
１４  洗濯物投入口
１５  上蓋
２０  外槽
３０  内槽
３２  バランサ
４０  駆動装置
４１  駆動モータ
４２  クラッチ・ブレーキ機構
４４  脱水軸
４５  攪拌翼軸
５０  給水装置
５１  給水弁
５２  接続管
５３  洗剤ケース
５４  給水経路部
６０  排水装置
６１  内排水孔
６２  シールホルダ
６３  外排水孔
６４  排水経路部
６５  排水弁
６６  接続管
１００  制御装置
１０１  送風ファン
１０２  送風ファン用モータ
１０３  ヒータ
１２１  水位センサ
１３１  電源操作継続判定部
１３２  特殊モード制御部
１３３  計測部
【図１】
2019004986.tif 000003
【図２】
2019004986.tif 000004
【図３】
2019004986.tif 000005
【図４】
2019004986.tif 000006
【図５】
2019004986.tif 000007